(57)【要約】【課題】トナーを供給ローラから現像ローラへ安定供給でき、また現像ローラにより感光体上の潜像を確実に現像できる構造を備える、非接触タイプで、単一の交流重畳バイアスを使用する現像装置を提供すること。【解決手段】バイアス電源２７から供給ローラ１３と現像ローラ１５とに分岐する分岐点Ｅと現像ローラ１５との間に付加抵抗３５を設け、該付加抵抗が、供給ローラ１３の表面における電圧と現像ローラ１５の芯材における電圧との差の変化を示すグラフにおいて、該差の変化の１周期うちマイナス側において現像側電圧が印加される期間内の波形が、該期間の間にゼロになるような波形を有するようになる抵抗値を有する。【選択図】図２
2005114807.tif 000002
【特許請求の範囲】
【請求項１】
供給ローラと、現像ローラと、前記現像ローラと非接触の感光体と、直流に交流を重畳させた単一のバイアス電源とを備え、前記単一のバイアス電源から前記供給ローラと現像ローラとに電圧を印加して、電圧差により負に帯電したトナーを供給ローラ、現像ローラ、感光体の順に移行させて感光体表面の潜像を現像する一成分非接触タイプの現像装置であって、
前記バイアス電源から供給ローラと現像ローラとに分岐する分岐点と現像ローラとの間に付加抵抗を設け、該付加抵抗が、前記供給ローラの表面における電圧と現像ローラの芯材における電圧との差の変化を示すグラフにおいて、この差の変化の１周期うちマイナス側において現像側電圧が印加される期間内の波形が、該期間の間にゼロになるような波形を有するようになる抵抗値を有することを特徴とする現像装置。
【請求項２】
請求項１において、前記供給ローラの抵抗値が前記現像ローラの抵抗値より大きいことを特徴とする現像装置。
【請求項３】
請求項１または２において、前記現像ローラから供給ローラを介して前記分岐点に流れる電流が、前記現像ローラから前記分岐点に流れる電流より大きいことを特徴とする現像装置。
【請求項４】
請求項１〜３のいずれか１項において、前記単一のバイアス電源は定電圧電源であることを特徴とする現像装置。
【請求項５】
請求項１〜４のいずれか１項において、前記供給ローラが電子伝導性であることを特徴とする現像装置。
【請求項６】
供給ローラと、現像ローラと、前記現像ローラと非接触の感光体と、直流に交流を重畳させた単一のバイアス電源とを備え、前記単一のバイアス電源から前記供給ローラと現像ローラとに電圧を印加して、電圧差により負に帯電したトナーを供給ローラ、現像ローラ、感光体の順に移行させて感光体表面の潜像を現像する一成分非接触タイプの現像装置であって、
前記バイアス電源から供給ローラと現像ローラとに分岐する分岐点と現像ローラとの間に付加抵抗を設けたことを特徴とする現像装置。
【発明の詳細な説明】
【技術分野】
【０００１】
本発明は、感光体に形成された潜像をトナーで現像するための現像装置に関するものである。
【背景技術】
【０００２】
例えば、特許文献１（特開平５−１５８３４０号公報）には、接触一成分型で電子写真装置等に適用される現像装置が開示されている。この現像装置は、感光体と接触する状態で回転可能に配置された現像ローラと、現像ローラに接触する状態で現像ローラと同方向に回転可能に配置された供給ローラとを備えている。また現像装置は、現像ローラ及び供給ローラに所定のバイアス電圧を印加する抵抗及び直流電源から成るバイアス電源を備えている。バイアス電源における抵抗は、現像ローラ及び供給ローラへの電線が分岐する前に設けられている。
【０００３】
【特許文献１】特開平５−１５８３４０号公報
【発明の開示】
【発明が解決しようとする課題】
【０００４】
上記のように接触タイプで直流電源を使用する現像装置とは別に、現像ローラが感光体に非接触の状態で、直流に交流を重畳させた交流重畳バイアスを印加して、トナーのジャンピング現象を生じさせて現像を行うタイプの現像装置がある。このような非接触タイプの現像装置において、現像ローラと供給ローラとに別々の電源を設けることも可能であるが、製品コストを廉価に抑えるために、特許文献１の発明同様に現像ローラと供給ローラとに一つの電源から交流重畳バイアスを印加することが望まれる。
【０００５】
しかし特許文献１と同様な構成を採用すると、電源→感光体→現像ローラ→電源の第１回路と、電源→感光体→現像ローラ→供給ローラ→電源の第２回路とが形成されるが、第２回路では、供給ローラ実抵抗と、供給ローラと現像ローラとの間でのトナーを介した接触抵抗との和の分だけ、第１回路における抵抗値よりも大きくなる。そのため第２回路の現像ローラ→供給ローラ→電源間に流れる電流は第１回路の現像ローラ→電源間に流れる電流よりも小さくなり、その結果、負に帯電したトナーが供給ローラから現像ローラ側へ移行しにくくなるため、トナーの供給性が悪くなる。
【０００６】
本発明の目的は、トナーを供給ローラから現像ローラへ安定供給でき、また現像ローラにより感光体上の潜像を確実に現像できる構造を備える、非接触タイプで、単一の交流重畳バイアスを使用する現像装置を提供することにある。
【課題を解決するための手段】
【０００７】
上記課題を達成するため、本発明の第１の態様に係る現像装置は、供給ローラと、現像ローラと、前記現像ローラと非接触の感光体と、直流に交流を重畳させた単一のバイアス電源とを備え、前記単一のバイアス電源から前記供給ローラと現像ローラとに電圧を印加して、電圧差により負に帯電したトナーを供給ローラ、現像ローラ、感光体の順に移行させて感光体表面の潜像を現像する一成分非接触タイプの現像装置であって、前記バイアス電源から供給ローラと現像ローラとに分岐する分岐点と現像ローラとの間に付加抵抗を設け、該付加抵抗が、前記供給ローラの表面における電圧と現像ローラの芯材における電圧との差の変化を示すグラフにおいて、この差の変化の１周期うちマイナス側において現像側電圧が印加される期間内の波形が、該期間の間にゼロになるような波形を有するようになる抵抗値を有することを特徴とするものである。
【０００８】
本発明の第１の態様によれば、バイアス電源から供給ローラと現像ローラとに分岐する分岐点と現像ローラとの間に付加抵抗を設けることで、現像ローラから供給ローラを通って分岐点に流れる電流量が増加するため、供給ローラから現像ローラへのトナーの供給性が高くなり、トナーの安定供給が図られる。一方、付加抵抗が上記のような波形を有する抵抗値を有することにより、付加抵抗、供給ローラ及び現像ローラを含めた全体の抵抗値が大きくならず、従って現像ローラから感光体へのトナーの供給が安定して高い現像性が維持される。よってこのような現像装置をレーザープリンタに適用した場合には、高品質の記録が実現できる。
【０００９】
また、本発明の第２の態様に係る現像装置は、上記第１の態様において、前記供給ローラの抵抗値が前記現像ローラの抵抗値より大きいことを特徴とするものである。このような場合には、現像ローラから供給ローラを介して分岐点に流れる電流が小さくなりがちであるため、付加抵抗を設けることに意義がある。
【００１０】
また、本発明の第３の態様に係る現像装置は、上記第１または２の態様において、前記現像ローラから供給ローラを介して前記分岐点に流れる電流が、前記現像ローラから前記分岐点に流れる電流より大きいことを特徴とするものである。本態様によれば、供給ローラから現像ローラへのトナーの供給性が高くなる。
【００１１】
また、本発明の第４の態様に係る現像装置は、上記第１〜第３の態様において、前記単一のバイアス電源は定電圧電源であることを特徴とするものである。本態様によれば、供給ローラと現像ローラとの間の電位差が外部からの影響を受けずに安定する。
【００１２】
また、本発明の第５の態様に係る現像装置は、上記第１〜第４の態様において、前記供給ローラが電子伝導性であることを特徴とするものである。本態様によれば、供給ローラの抵抗が下がり、トナーの供給性を高めることができる。
【００１３】
また、本発明の第６の態様に係る現像装置は、供給ローラと、現像ローラと、前記現像ローラと非接触の感光体と、直流に交流を重畳させた単一のバイアス電源とを備え、前記単一のバイアス電源から前記供給ローラと現像ローラとに電圧を印加して、電圧差により負に帯電したトナーを供給ローラ、現像ローラ、感光体の順に移行させて感光体表面の潜像を現像する一成分非接触タイプの現像装置であって、前記バイアス電源から供給ローラと現像ローラとに分岐する分岐点と現像ローラとの間に付加抵抗を設けたことを特徴とするものである。
【００１４】
本態様によれば、バイアス電源から供給ローラと現像ローラとに分岐する分岐点と現像ローラとの間に付加抵抗を設けることで、現像ローラから供給ローラを通って分岐点に流れる電流量が増加するため、供給ローラから現像ローラへのトナーの供給性が高くなり、トナーの安定供給が図られる。
【発明を実施するための最良の形態】
【００１５】
以下、本願発明の実施の形態を図面に基づいて説明する。図１は本発明に係る現像装置を適用したレーザープリンタのロータリー現像ユニットに組み込んで使用する現像カートリッジ１を示す。現像カートリッジ１は、上部ハウジング部材３と下部ハウジング部材５が一体的に組み合わされて、本体となるハウジング７が形成されている。ハウジング７内にはトナーを収容するためのトナー収容部９が形成されており、トナー収容部９には、トナー１１を撹拌するための複数の撹拌片（図示せず）が形成されている。
【００１６】
またトナー収容部９には、表面がウレタンスポンジで形成された供給ローラ１３（Ｓローラともいう）が回転可能な状態で配置されている。尚、供給ローラ１３は、電子伝導性であることが好ましい。供給ローラ１３の外側には現像ローラ１５（Ｄローラとも云う）が供給ローラ１３と接触した状態で配置されており、供給ローラ１３がハウジング７内に収納されたトナー１１をその表面に担持した状態で矢印の方向に回転するとき、現像ローラ１５はその外周面に供給ローラ１３からトナー１１を受け取りながら、供給ローラ１３と同じ速度で矢印の方向へ回転する。
【００１７】
現像ローラ１５の周面には、規制ブレード１６が一定圧で押圧されている。規制ブレード１６は、トナー１１がこれと摩擦することによって同じ極性に帯電するという機能を有すると共に、現像ローラ１５の周面に付着したトナー１１を、例えば厚みが最終的に２０μｍ程度になるように平均的に馴らす機能を有する。
【００１８】
現像ローラ１５の表面から僅かの間隙を介して感光体である感光体ドラム１７が設けられている。感光体ドラム１７は帯電器（図示せず）によって帯電されており、露光ユニットから感光体ドラム１７の外周面に向けてレーザ光が走査露光されることで、感光体ドラム１７上に静電潜像を形成することができる。供給ローラ１３から現像ローラ１５の表面に、バイアス電位差によりトナー１１が移行して所定厚みのトナー層を形成し、このようにして現像ローラ１５に担持されたトナー１１は、現像位置１９において、バイアス電位差により静電潜像が形成された感光体ドラム１７の表面にジャンピングし、感光体ドラム１７上の潜像を現像する。
【００１９】
図２は、本発明の現像装置の２つの実施形態を示す模式図である。図２（ａ）に示す実施形態では、供給ローラ１３は、金属（例えばアルミニウム）製の芯材２１の周囲に弾性層２３が形成されており、現像ローラ１５は、全体が金属（例えばアルミニウム）で構成されている。図２（ａ）中、各ローラに重ねて示す等価回路において、ＲＳは弾性層２３の抵抗を示し、ＲＤＳは供給ローラ１３と現像ローラ１５との間でのトナー１１を介した接触抵抗を示す。尚、図２（ａ）において、供給ローラ１３、現像ローラ１５及び感光体ドラム１７の最外周に描かれている点線の円の内側はトナー１１が付着する領域を示す。
【００２０】
本発明の現像装置では、直流に交流を重畳させた単一の直交流重畳バイアス電源２７から、供給ローラ１３と現像ローラ１５との両方にバイアスが印加されている。尚、直交流重畳バイアス電源２７は、定電圧電源であることが好ましい。等価回路では、直交流重畳バイアス電源２７から供給ローラ１３と現像ローラ１５とに分岐する点を分岐点Ｅとして示している。
【００２１】
現像ローラ１５は感光体ドラム１７から離れており、直流と交流の流れる方向が一致するときには、感光体ドラム１７から現像ローラ１５側へ電流が流れ、このとき現像ローラ１５の表面に付着した負に帯電したトナー１１が、バイアス電位差により感光体ドラム１７へジャンピングして表面に付着する。重ねて示す等価回路では、現像ローラ１５と感光体ドラム１７とは非接触であり、現像ローラ１５から感光体ドラム１７へトナー１１が飛翔することから、これをコンデンサ２９として示している。一方、直流と交流の流れる方向が異なるときには、電流は現像ローラ１５から感光体ドラム１７側へ流れ、感光体ドラム１７において現像に利用されなかった余分なトナーが現像ローラ１５へ回収されるようになる。
【００２２】
一方、図２（ｂ）に示す実施形態では、供給ローラ１３は図２（ａ）の構造と同様であり、現像ローラ１５は、金属（例えばアルミニウム）性の心材３１の周囲にゴム層３３が形成されている。図２（ｂ）中、各ローラに重ねて示す等価回路において、ＲＳ、ＲＤＳは図２（ａ）と同様であり、更にＲＤは現像ローラ１５のゴム層３３での抵抗を示す。尚、等価回路では、電流の流れに沿ってゴム層３３が現像ローラ１５の直径方向両側に位置するため、２ＲＤの抵抗があるものとして示してある。その他の構成については、図２（ａ）に示す構造と同様である。
【００２３】
本発明では、図２（ａ）、図２（ｂ）のいずれの実施形態においても、分岐点Ｅと現像ローラ１５との間に付加抵抗３５が設けられている。このような付加抵抗３５を設けることにより、等価回路中、現像ローラ１５から分岐点Ｅへの電流の第１経路３７と、現像ローラ１５→供給ローラ１３→分岐点Ｅの電流の第２経路３９とから成る並列回路において、弾性層２３の抵抗ＲＳ及び供給ローラ１３と現像ローラ１５との間でのトナー１１を介した接触抵抗ＲＤＳの存在により、従来は第２経路３９側へ流れにくかった電流が流れやすくなる。その結果、負に帯電したトナー１１が、供給ローラ１３から現像ローラ１５へ供給されやすくなる。
【００２４】
以下、このような付加抵抗３５の抵抗値の決め方について説明する。図２中、ＶＥは分岐点Ｅでの電圧、ＶＳは供給ローラ１３の表面における電圧、ＶＤは現像ローラ１５の芯材３１における電圧をそれぞれ示す。また図３（ａ）は、図２（ｂ）の現像装置の供給ローラ１３の弾性層２３の抵抗ＲＳと現像ローラ１５のゴム層３３の抵抗ＲＤとを個別に測定する方法を示す。尚、図２（ａ）の現像装置の抵抗ＲＳも同様な方法で測定できる。この方法では、測定値が安定するように直流１００Ｖを１分間印加して測定した。図示しないが、表面にトナーを供給した実使用状態で各ローラの金属軸間にプローブを接触させて、図２（ａ）の実施形態におけるＲＳとＲＤＳとの和、及び図２（ｂ）の実施形態におけるＲＳとＲＤとＲＤＳとの和を求めることができる。
【００２５】
図３（ａ）の方法で求めたＲＳとＲＤをそのまま上記のＲＳとＲＤＳとの和またはＲＳとＲＤとＲＤＳとの和において適用することはできない。しかし、現像装置のＲＤ（これを第１ＲＤとする）について上記測定値が分かっていれば、その現像装置で実際に印刷を実行してその画質を調べ、続いて第１ＲＤを他の第２ＲＤに変えて印刷を実行し、その画質を調べて比較しＲＤを大きくすべきか小さくすべきかを判断することで、最適なＲＤを求めることができる。図３（ｂ）は、図３（ａ）の方法で求めたＲＳとＲＤの測定値を示す。尚、測定値範囲とは、サンプルのばらつきの範囲である。
【００２６】
図４は、現像性と供給性との相関図である。図２に関して、付加抵抗３５を設けることにより電流の第２経路３９への電流量が増加し、従って供給ローラ１３から現像ローラ１５への負に帯電したトナーの供給量が増加することは既述したとおりである。付加抵抗３５の抵抗値が大きい程、現像ローラ１５へのトナーの供給量は多くなるため、トナーの供給量は図４中実線で示すような右上がりのカーブを描くようになる。一方、付加抵抗３５の抵抗値が大きくなると、図２の等価回路の全体の抵抗値が大きくなるため、感光体ドラム１７から現像ローラ１５への電流量が減り、現像ローラ１５から感光体ドラム１７へのトナー供給量が減少するため、図４中、２点鎖線で示すように現像性が低下してくる。
【００２７】
図５は、付加抵抗３５の大小により現像バイアスがどのように変化するかを示す電圧変化の波形を示す図である。図５中、実線４１は付加抵抗３５を設けない場合を示す。この実線４１から明らかなように、基準線４３より上側に現れ、トナーを感光体ドラム１７に戻す方向に作用する回収方向の電圧と、基準線４３より下側に現れ、トナーを感光体ドラム１７に送る方向に作用する現像方向の電圧の変化が、交互に矩形状の波形として現れていることがわかる。破線４５、４７、４９は、この順で付加抵抗３５を大きくした場合の波形であり、付加抵抗３５が大きくなる程、波形の左肩部分がなまってくることを表している。
【００２８】
図６（ａ）は、図４において付加抵抗値が比較的高いＣ値（＝１０ＭΩ）であるときの分岐点Ｅでの電圧ＶＥ、供給ローラ１３の表面における電圧ＶＳ及び現像ローラ１５の芯材３１における電圧ＶＤの変化をグラフにしたものである。図６（ａ）中、実線５１は分岐点Ｅでの電圧ＶＥの変化を示し、破線５３は供給ローラ１３の表面における電圧ＶＳの変化を示し、一点鎖線５５は現像ローラ１５の芯材３１における電圧ＶＤの変化を示す。尚、電圧０を示す線より下側の方にグラフが長く延びているのは、直交流重畳バイアス電源２７を使用し、現像方向に直流分の電圧が常に加わっているからである。
【００２９】
また図６（ｂ）は、図６（ａ）におけるＶＳ−ＶＤの変化を示すグラフである。ＶＳ−ＶＤは、図２において供給ローラの表面での電圧と現像ローラの芯材の電圧との差を示すが、これは供給ローラ１３と現像ローラ１５とに掛かるバイアス差に相当するから、供給ローラ１３から現像ローラ１５へのトナーの供給性の変化を意味する。
【００３０】
図６（ｃ）は、図２（ａ）に示す現像装置において、付加抵抗３５の抵抗値を種々変えたときに、図６（ａ）、図６（ｂ）と同様な波形から得られる平均電圧とＶＤの振幅高さの最大値を示している。例えば図６（ａ）、図６（ｂ）は付加抵抗１０ＭΩのときの波形であるが、このときの平均電圧値である−４６０の値は、図６（ｂ）の符号Ｐで示す領域のＶＳ−ＶＤの平均によって求められる。また付加抵抗１０ＭΩのときのＶＤの振幅高さの最大値は、図６（ａ）中、一点鎖線５５の最も左側の上下のピークの差によって求められる。付加抵抗が１０ＫΩ、１００ＫΩ、１ＭΩのときの図６（ａ）、図６（ｂ）に対応する波形は省略しているが、このときの平均電圧とＶＤの振幅高さの最大値も同様にして得られ、図６（ｃ）に示す通りとなっている。図６（ｃ）においてＶＳ−ＶＤの平均電圧値の絶対値が大きいほど、供給ローラ１３と現像ローラ１５との電圧差が大きいためトナーの供給性が高くなる。一方、図６（ｃ）において平均電圧とＶＤの振幅高さの最大値が大きいほど、現像ローラ１５から感光体ドラム１７に飛ぶトナーが多くなり現像性が高くなる。
【００３１】
図７は、図６と同様な方法で、図４において付加抵抗値が比較的低いＡ値（＝１０ＫΩ）、付加抵抗値が中程度であるＢ値（＝１ＭΩ）、付加抵抗値が比較的高いＣ値（＝１０ＭΩ）であるときの、それぞれ図６（ｂ）に示すものと同様なＶＳ−ＶＤの変化を一つのグラフにまとめたものである。図７中、二点鎖線５７は付加抵抗値が比較的低いＡ値（＝１０ＫΩ）におけるＶＳ−ＶＤの変化を示し、実線５９は付加抵抗値が適度であるＢ値（＝１ＭΩ）におけるＶＳ−ＶＤの変化を示し、破線６１は付加抵抗値が比較的高いＣ値（＝１０ＭΩ）におけるＶＳ−ＶＤの変化を示す。
【００３２】
また図８（ａ）〜（ｄ）は、図７の各グラフを分解して示すものであり、図８（ａ）は、付加抵抗値がゼロ、即ち供給ローラ１３と現像ローラ１５との間に電位差がない場合のＶＳ−ＶＤの変化を示し、図８（ｂ）は、付加抵抗値が低いＡ値、即ち供給ローラ１３と現像ローラ１５との間の電位差が比較的小さい場合のＶＳ−ＶＤの変化を示し、図８（ｃ）は、付加抵抗値が適度であるＢ値、即ち供給ローラ１３と現像ローラ１５との間の電位差が適度な場合のＶＳ−ＶＤの変化を示し、図８（ｄ）は、付加抵抗値が比較的高いＣ値、即ち供給ローラ１３と現像ローラ１５との間の電位差が過剰な場合のＶＳ−ＶＤの変化を示す。
【００３３】
図７において、ＶＳ−ＶＤがゼロの基準線６３より下側に現れている波形は、現像時、即ちトナー１１が現像ローラ１５から感光体ドラム１７へ飛翔する際の電位差の変化を示している。そしてトナー回収側の電位差を示す基準線６３より上側に現れている曲線が基準線６３を横切る点Ｘから、下側の曲線（現像側電位差）が基準線６３を次に横切る点Ｙまでの単位区間（電位差変化の１周期の半周期に相当する）は、現像側電圧が印加される期間Ｒとなっている。
【００３４】
図６（ｃ）において、付加抵抗１ＭΩ以下でのＶＤの振幅高さの最大値は現像を行うのに十分な値である。一方、付加抵抗１００ＫΩ以上ではトナーの供給性が十分であるが、付加抵抗１０ＫΩでは必ずしも十分な値ではない。しかし付加抵抗１０ＫΩの場合であっても、付加抵抗を設けない場合に比べれば供給性が高くなることは明らかである。従って１ＭΩ以下の付加抵抗を設けたときには供給性と現像性の両方が良くなる。
【００３５】
この図６（ｃ）のデータの結果を図７のグラフと比較すると、現像側電圧が印加される期間Ｒ内の波形が、該現像側電圧が印加される期間Ｒの間にゼロになるような波形を有するようになる抵抗値を有する付加抵抗３５を、分岐点Ｅと現像ローラ１５との間に設けた場合には、供給性と現像性の両方が良くなることがわかる。尚、本願発明では、付加抵抗３５を設けることにより、供給ローラ１３から現像ローラ１５へのトナーの供給性は高まるから、現像性を重視せずトナーの供給性を高めることを目的とする場合には、必ずしも付加抵抗３５の抵抗値を上記のように限定する必要はない。
【００３６】
以上は、図２（ａ）に示す実施形態の現像装置に関するものであるが、図２（ｂ）に示す実施形態の現像装置に関しても、同様に、現像側電圧が印加される期間Ｒ内の波形が、該現像側電圧が印加される期間Ｒの間にゼロになるような波形を有するようになる抵抗値を有する付加抵抗３５を、分岐点Ｅと現像ローラ１５との間に設けることにより、同様に供給性と現像性の両方が良くなる。
【産業上の利用可能性】
【００３７】
本発明は、感光体に形成された潜像をトナーで現像するための現像装置に利用可能である。
【図面の簡単な説明】
【００３８】
【図１】本発明に係る現像装置を適用した現像カートリッジを示す要部断面図。
【図２】（ａ）（ｂ）は本発明の現像装置の２つの実施形態を示す模式図である。
【図３】（ａ）は、供給ローラの弾性層の抵抗と現像ローラのゴム層の抵抗とを個別に測定する方法を示す図、（ｂ）は、（ａ）の方法で求めた両抵抗の測定値を示す図。
【図４】現像性と供給性との相関図である。
【図５】付加抵抗の大小により現像バイアスの変化を示す電圧変化の波形図である。
【図６】（ａ）は、付加抵抗値が比較的高いＣ値（＝１０ＭΩ）であるときの分岐点Ｅでの電圧ＶＥ、供給ローラの表面における電圧ＶＳ及び現像ローラの心材における電圧ＶＤの変化のグラフであり、（ｂ）は、（ａ）におけるＶＳ−ＶＤの変化を示すグラフであり、（ｃ）は、付加抵抗を種々変えたときの平均電圧とＶＤの振幅高さの最大値を示す。
【図７】付加抵抗値が異なる場合のＶＳ−ＶＤの変化をまとめたグラフである。
【図８】（ａ）〜（ｄ）は、図７の各グラフを分解して示すものである。
【符号の説明】
【００３９】
１  現像カートリッジ、３  上部ハウジング部材、５  下部ハウジング部材、
７  ハウジング、９  トナー収容部、１１  トナー、１３  供給ローラ、
１５  現像ローラ、１６  規制ブレード、１７  感光体ドラム、１９  現像位置、
２１  芯材、２３  弾性層、２７  直交流重畳バイアス電源、２９  コンデンサ、
３１  芯材、３３  ゴム層、３５  付加抵抗、３７  電流の第１経路、
３９  電流の第２経路、４１  実線、４３  基準線、４５、４７、４９  破線、
５１  実線、５３  破線、５５  一点鎖線、５７  二点鎖線、５９  実線、６１  破線、６３  基準線、Ｅ  分岐点、ＶＥ  分岐点での電圧、ＶＳ  供給ローラの表面における電圧、
ＶＤ  現像ローラの心材における電圧、Ｒ  現像側電圧が印加される期間
【図１】
2005114807.tif 000003
【図２】
2005114807.tif 000004
【図３】
2005114807.tif 000005
【図４】
2005114807.tif 000006
【図５】
2005114807.tif 000007
【図６】
2005114807.tif 000008
【図７】
2005114807.tif 000009
【図８】
2005114807.tif 000010